(57)【要約】  ワイヤレス通信システムにおいて、所望の量の帯域幅を与えるためにキャリアアグリゲーションが使用され得、ここで、１次キャリアと１つまたは複数の２次キャリアとがアグリゲートされる。アグリゲートキャリアが単一の周波数帯域中にあるシステムの受信側において、単一の周波数帯域中のアグリゲートキャリアに共通利得を適用するために増幅器が使用され得、共通利得は、アグリゲートキャリアのうちの１つまたは複数を含んでいるアグリゲートキャリアのグループに関連する受信信号品質の指示に応じて判断され得、ここで、１つのグループは、１次キャリアと、可能な１つまたは複数の２次キャリアとを含んでおり、別のグループは２次キャリアのみを含んでいる。
2015537463.tif 000002
【特許請求の範囲】
【請求項１】
マルチキャリアワイヤレスデバイスにおける利得を制御するための方法であって、前記方法は、
前記ワイヤレスデバイスが、同じ無線周波数帯域中の少なくとも２つのアグリゲートコンポーネントキャリア（ＣＣ）のための受信信号品質の指示を推定または測定することと、前記少なくとも２つのＣＣが、１次コンポーネントキャリア（ＰＣＣ）と１つまたは複数の２次コンポーネントキャリア（ＳＣＣ）とを備える、
少なくとも前記ＰＣＣを含む１つまたは複数のＣＣの第１のセットの受信信号品質の前記指示が、１つまたは複数のＳＣＣのみを含む１つまたは複数のＣＣの第２のセットの受信信号品質の前記指示よりも良いか、またはそれとほぼ同じであるときは第１の機能を使用して、１つまたは複数のＣＣの前記第１のセットの受信信号品質の前記指示が１つまたは複数のＣＣの前記第２のセットの受信信号品質の前記指示よりも悪いときは第２の機能を使用して、前記少なくとも２つのＣＣのための共通利得を判断することと、
調整された受信信号を取得するために前記共通利得を前記少なくとも２つのＣＣの受信信号に適用することと
を備える、方法。
【請求項２】
１つまたは複数のＣＣの前記第１のセットが前記ＰＣＣのみを含んでいる、請求項１に記載の方法。
【請求項３】
１つまたは複数のＣＣの前記第１のセットが、前記ＰＣＣと少なくとも１つのＳＣＣとを含んでいる、請求項１に記載の方法。
【請求項４】
受信信号品質のそれぞれの指示が、電力、信号レベル、またはエラーレートのうちの１つである、請求項１に記載の方法。
【請求項５】
ＣＣの前記第１のセットの受信信号品質の前記指示がＣＣの前記第２のセットの受信信号品質の前記指示のある所定の許容差内にあるとき、ＣＣの前記第１のセットの受信信号品質の前記指示がＣＣの前記第２のセットの受信信号品質の前記指示とほぼ同じである、請求項１に記載の方法。
【請求項６】
前記所定の許容差が、エラーレート基準に基づいて判断される、請求項５に記載の方法。
【請求項７】
前記第１の機能が前記ＰＣＣの１つまたは複数の受信信号特性のみを使用し、前記第２の機能が、前記ＰＣＣに関連する受信信号特性と、前記ＳＣＣのうちの少なくとも１つに関連する受信信号特性との線形結合を備える、請求項１に記載の方法。
【請求項８】
前記第２の機能が、ＰＣＣ受信信号電力と、前記ＳＣＣのうちの１つまたは複数のものの信号電力との線形結合を備える、請求項７に記載の方法。
【請求項９】
同じ無線周波数帯域中の少なくとも２つのアグリゲートコンポーネントキャリア（ＣＣ）のための受信信号品質の指示を推定または測定するための手段と、前記少なくとも２つのＣＣが、１次コンポーネントキャリア（ＰＣＣ）と１つまたは複数の２次コンポーネントキャリア（ＳＣＣ）とを備える、
少なくとも前記ＰＣＣを含む１つまたは複数のＣＣの第１のセットの受信信号品質の前記指示が、１つまたは複数のＳＣＣのみを含む１つまたは複数のＣＣの第２のセットの受信信号品質の前記指示よりも良いか、またはそれとほぼ同じであるときは第１の機能を使用して、１つまたは複数のＣＣの前記第１のセットの受信信号品質の前記指示が１つまたは複数のＣＣの前記第２のセットの受信信号品質の前記指示よりも悪いときは第２の機能を使用して、前記少なくとも２つのＣＣのための共通利得を判断するための手段と、
調整された受信信号を取得するために前記共通利得を前記少なくとも２つのＣＣの受信信号に適用するための手段と
を備えるワイヤレス通信装置。
【請求項１０】
受信信号品質のそれぞれの指示が、電力、信号レベル、またはエラーレートのうちの１つである、請求項９に記載のワイヤレス通信装置。
【請求項１１】
ＣＣの前記第１のセットの受信信号品質の前記指示がＣＣの前記第２のセットの受信信号品質の前記指示のある所定の許容差内にあるとき、ＣＣの前記第１のセットの受信信号品質の前記指示がＣＣの前記第２のセットの受信信号品質の前記指示とほぼ同じである、請求項９に記載のワイヤレス通信装置。
【請求項１２】
前記所定の許容差が、エラーレート基準に基づいて判断される、請求項１１に記載のワイヤレス通信装置。
【請求項１３】
前記第１の機能が前記ＰＣＣの１つまたは複数の受信信号特性のみを使用し、前記第２の機能が、前記ＰＣＣに関連する受信信号特性と、前記ＳＣＣのうちの少なくとも１つに関連する受信信号特性との線形結合を備える、請求項９に記載のワイヤレス通信装置。
【請求項１４】
前記第２の機能が、ＰＣＣ受信信号電力と、前記ＳＣＣのうちの１つまたは複数のものの信号電力との線形結合を備える、請求項１３に記載のワイヤレス通信装置。
【請求項１５】
推定または測定によって、同じ無線周波数帯域中の少なくとも２つのアグリゲートコンポーネントキャリア（ＣＣ）のための受信信号品質の指示を取得することと、前記少なくとも２つのＣＣが、１次コンポーネントキャリア（ＰＣＣ）と１つまたは複数の２次コンポーネントキャリア（ＳＣＣ）とを備える、
少なくとも前記ＰＣＣを含む１つまたは複数のＣＣの第１のセットの受信信号品質の前記指示が、１つまたは複数のＳＣＣのみを含む１つまたは複数のＣＣの第２のセットの受信信号品質の前記指示よりも良いか、またはそれとほぼ同じであるときは第１の機能を使用して、１つまたは複数のＣＣの前記第１のセットの受信信号品質の前記指示が１つまたは複数のＣＣの前記第２のセットの受信信号品質の前記指示よりも悪いときは第２の機能を使用して、前記少なくとも２つのＣＣのための共通利得を判断することと、
調整された受信信号を取得するために前記共通利得を前記少なくとも２つのＣＣの受信信号に適用させることと
を少なくとも１つのコンピュータに行わせるためのコードを含むコンピュータ可読媒体
を備える、コンピュータプログラム製品。
【請求項１６】
受信信号品質のそれぞれの指示が、電力、信号レベル、またはエラーレートのうちの１つである、請求項１５に記載のコンピュータプログラム製品。
【請求項１７】
ＣＣの前記第１のセットの受信信号品質の前記指示がＣＣの前記第２のセットの受信信号品質の前記指示のある所定の許容差内にあるとき、ＣＣの前記第１のセットの受信信号品質の前記指示がＣＣの前記第２のセットの受信信号品質の前記指示とほぼ同じである、請求項１５に記載のコンピュータプログラム製品。
【請求項１８】
前記所定の許容差が、エラーレート基準に基づいて判断される、請求項１７に記載のコンピュータプログラム製品。
【請求項１９】
前記第１の機能が前記ＰＣＣの１つまたは複数の受信信号特性のみを使用し、前記第２の機能が、前記ＰＣＣに関連する受信信号特性と、前記ＳＣＣのうちの少なくとも１つに関連する受信信号特性との線形結合を備える、請求項１５に記載のコンピュータプログラム製品。
【請求項２０】
前記第２の機能が、ＰＣＣ受信信号電力と、前記ＳＣＣのうちの１つまたは複数のものの信号電力との線形結合を備える、請求項１９に記載のコンピュータプログラム製品。
【請求項２１】
少なくとも２つのアグリゲートコンポーネントキャリア（ＣＣ）を含んでいる周波数帯域を含む信号を受信するように構成された少なくとも１つのアンテナと、前記少なくとも２つのアグリゲートＣＣが、１次コンポーネントキャリア（ＰＣＣ）と１つまたは複数の２次コンポーネントキャリア（ＳＣＣ）とを備える、
前記少なくとも１つのアンテナに結合され、前記周波数帯域中の前記アグリゲートＣＣに共通利得を適用するように構成された可変利得増幅器と、
前記可変利得増幅器に結合され、前記アグリゲートＣＣの第１のグループを表す受信信号品質の指示と前記アグリゲートＣＣの第２のグループを表す受信信号品質の指示とを比較するように構成され、前記第１のグループが、前記ＰＣＣと、前記ＳＣＣのうちの０個以上とを含み、前記第２のグループが前記ＳＣＣのうちの１つまたは複数を含み、アグリゲートＣＣの前記第１のグループの受信信号品質の前記指示が、アグリゲートＣＣの前記第２のグループの受信信号品質の前記指示よりも良いか、またはそれとほぼ同じであるときは第１の機能を使用して、アグリゲートＣＣの前記第１のグループの受信信号品質の前記指示がアグリゲートＣＣの前記第２のグループの受信信号品質の前記指示よりも悪いときは第２の機能を使用して、前記共通利得を計算するように構成された利得制御モジュールと
を備えるワイヤレス通信装置。
【請求項２２】
アグリゲートＣＣの前記第１および第２のグループのための受信信号品質の前記指示を測定または推定するように構成された受信信号品質評価器をさらに備える、請求項２１に記載のワイヤレス通信装置。
【請求項２３】
アグリゲートＣＣの前記第１のグループが前記ＰＣＣのみを含んでいる、請求項２１に記載のワイヤレス通信装置。
【請求項２４】
アグリゲートＣＣの前記第１のグループが、前記ＰＣＣと少なくとも１つのＳＣＣとを含んでいる、請求項２１に記載のワイヤレス通信装置。
【請求項２５】
受信信号品質のそれぞれの指示が、電力、信号レベル、またはエラーレートのうちの１つである、請求項２１に記載のワイヤレス通信装置。
【請求項２６】
アグリゲートＣＣの前記第１のグループの受信信号品質の前記指示がアグリゲートＣＣの前記第２のグループの受信信号品質の前記指示のある所定の許容差内にあるとき、アグリゲートＣＣの前記第１のグループの受信信号品質の前記指示がアグリゲートＣＣの前記第２のグループの受信信号品質の前記指示とほぼ同じである、請求項２１に記載のワイヤレス通信装置。
【請求項２７】
前記所定の許容差が、エラーレート基準に基づいて判断される、請求項２６に記載のワイヤレス通信装置。
【請求項２８】
前記第１の機能が前記ＰＣＣの１つまたは複数の受信信号特性のみを使用し、前記第２の機能が、前記ＰＣＣに関連する受信信号特性と、前記ＳＣＣのうちの少なくとも１つに関連する受信信号特性との線形結合を備える、請求項２１に記載のワイヤレス通信装置。
【請求項２９】
前記第２の機能が、ＰＣＣ受信信号電力と、前記ＳＣＣのうちの１つまたは複数のものの信号電力との線形結合を備える、請求項２８に記載のワイヤレス通信装置。
【請求項３０】
前記利得制御モジュールが、
前記利得制御モジュールの１つまたは複数の機能、あるいは前記受信信号品質評価器の１つまたは複数の機能、あるいは前記利得制御モジュールと前記受信信号品質評価器の両方の１つまたは複数の機能を実行するように構成された少なくとも１つのプロセッサと、
前記少なくとも１つのプロセッサに結合されたメモリと
を備える、請求項２２に記載のワイヤレス通信装置。
【発明の詳細な説明】
【技術分野】
【０００１】
関連出願の相互参照
[0001]本出願は、その全体が参照により本明細書に組み込まれる、２０１２年１１月７日に出願された米国仮特許出願第６１／７２３，７３０号の優先権を主張する。
【０００２】
[0002]本開示の様々な態様は、通信システムに関し、および／またはバンド内キャリアアグリゲーション（intra-band carrier aggregation）における利得制御のための技法に関し得る。
【背景技術】
【０００３】
[0003]ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、たとえば、ユーザ機器（ＵＥ：user equipment）など、いくつかの通信端末のための通信をサポートすることができる、いくつかの基地局を含み得る。ＵＥは、ダウンリンク（ＤＬ）およびアップリンク（ＵＬ）を介して基地局と通信し得る。ＤＬ（または順方向リンク）は基地局からＵＥへの通信リンクを指し、ＵＬ（または逆方向リンク）はＵＥから基地局への通信リンクを指す。
【０００５】
[0005]第３世代パートナーシッププロジェクト（３ＧＰＰ：3rd Generation Partnership Project）ロング・ターム・エボリューション（ＬＴＥ：Long Term Evolution）は、モバイル通信用グローバルシステム（ＧＳＭ（登録商標）：Global System for Mobile communications）およびユニバーサル・モバイル・テレコミュニケーションシステム（ＵＭＴＳ：Universal Mobile Telecommunications System）の発展形として、セルラー技術における大きな進歩を代表するものである。ＬＴＥ物理レイヤ（ＰＨＹ）は、発展型ノードＢ（ｅＮＢ）などの基地局と、通信端末との間でデータと制御情報の両方を搬送する高効率な方法を与える。
【図面の簡単な説明】
【０００６】
【図１】[0006]電気通信システムの一例のブロック図。
【図２】[0007]基地局／ｅＮＢおよびＵＥの設計を示すブロック図。
【図３Ａ】[0008]バンド内連続キャリアアグリゲーションタイプ（an intra-band contiguous carrier aggregation type）を示す図。
【図３Ｂ】[0009]バンド内不連続キャリアアグリゲーションタイプ（an intra-band non-contiguous carrier aggregation type）を示す図。
【図３Ｃ】[0010]バンド間キャリアアグリゲーション（inter-band carrier aggregation）タイプを示す図。
【図４Ａ】[0011]バンド内キャリアアグリゲーションのための共通利得制御（common gain control）の態様を示す図。
【図４Ｂ】バンド内キャリアアグリゲーションのための共通利得制御の態様を示す図。
【図５】[0012]バンド内アグリゲートキャリアのための利得制御のための方法の一例を示す図。
【図６】[0013]バンド内アグリゲートキャリアのための利得制御のための方法の別の例を示す図。
【図７】[0014]図５〜図６の方法の例による、バンド内アグリゲートキャリア（intra-band aggregated carriers）の利得を制御するための装置の一例を示す図。
【発明を実施するための形態】
【０００７】
[0015]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0016]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサ・ルモバイル・テレコミュニケーションシステム（ＵＭＴＳ）の一部である。３ＧＰＰロング・ターム・エボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【０００９】
[0017]図１に、限定はしないが、ＬＴＥネットワークであり得る、ワイヤレス通信ネットワーク１００を示す。ワイヤレスネットワーク１００は、いくつかのｅＮＢ１１０と他のネットワークエンティティとを含み得る。ｅＮＢは、ＵＥと通信する局であり得、基地局、ノードＢ、アクセスポイント、または他の用語で呼ばれることもある。各ｅＮＢ１１０ａ、１１０ｂ、１１０ｃは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１０】
[0018]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセス（unrestricted access）を可能にし得る。マクロセルのためのｅＮＢはマクロｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢは、１つまたは複数の（たとえば、３つの）セルをサポートし得る。
【００１１】
[0019]ワイヤレスネットワーク１００は、様々なタイプのｅＮＢ、たとえば、マクロｅＮＢ、ピコｅＮＢ、フェムトｅＮＢ、リレーなどを含む異機種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは高い送信電力レベル（たとえば、２０ワット）を有し得る。
【００１２】
[0020]ワイヤレスネットワーク１００は同期動作または非同期動作をサポートし得る。同期動作の場合、ｅＮＢは同様なフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００１３】
[0021]ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００１４】
[0022]ＵＥ１２０は、ワイヤレスネットワーク１００全体にわたって分散され得、各ＵＥは固定的または移動的であり得る。ＵＥは、端末、移動局、加入者ユニット、局などと呼ばれることもあり、概して、ネットワーク構成要素（ｅＮＢ、ネットワークコントローラ、または他のネットワークエンティティなど）とは対照的に、ユーザによって使用され得る通信デバイスを指す。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、または他のモバイルエンティティであり得る。
【００１５】
[0023]ＵＥは、マクロｅＮＢ、ピコｅＮＢ、フェムトｅＮＢ、リレー、または他のネットワークエンティティと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信（interfering transmissions）を示す。ＵＥとサービングｅＮＢとの間の単一の実線は、ＵＥとサービングｅＮＢとの間の通信リンクを示し得る。複数の実線は、キャリアアグリゲーション（carrier aggregation）（ＣＡ）のために構成されたＵＥを示し得る。
【００１６】
[0024]ＬＴＥアドバンストＵＥは、各方向において送信のために使用される最高で合計１００ＭＨｚ（５つのコンポーネントキャリア）のキャリアアグリゲーションにおいて割り振られた、最高で２０ＭＨｚ帯域幅のスペクトルを使用し得る。ＵＥ１２０ａと基地局１１０ａとの間の２つの実線は、１次コンポーネントキャリア（ＰＣＣ：primary component carrier）と２次コンポーネントキャリア（ＳＣＣ：secondary component carrier）とを含み得る、２つのコンポーネントキャリアのサポートを示す。ＰＣＣと１つまたは複数の２次コンポーネントキャリアとを含む、最高で５つのコンポーネントキャリアが、ＵＥ１２０ａと基地局１１０ａとの間でサポートされ得る。ＰＣＣは制御シグナリングを搬送し得る。ＰＣＣを含むすべてのコンポーネントキャリアがトラフィックデータを搬送し得る。キャリアアグリゲーションは、連続ＣＡおよび／または不連続ＣＡのために構成され得る。キャリアアグリゲーションは、バンド内タイプＣＡおよびバンド間タイプＣＡのために構成され得る。たとえば、ＵＥ１２０ａのためのコンポーネントキャリアは、連続バンド内キャリアアグリゲーション（contiguous intra-band carrier aggregation）のために構成され得る。
【００１７】
[0025]バンド内キャリアアグリゲーションは、ＬＴＥシステムの設計におけるチャレンジと機会の両方を提示する。２つ以上のコンポーネントキャリアが同じ動作帯域上でサポートされるので、ｅＮＢにおいておよび／またはユーザ機器において、より効率的な受信機実装形態が可能であり得る。たとえば、バンド内キャリアアグリゲーションでは、ユーザ機器は、コンポーネントキャリア間で受信チェーンの全部または一部を共有し得、それにより、ハードウェア複雑さを低減するように働き得る。しかしながら、ＲＦ環境におけるマルチパス効果および他の現象により、バンド内コンポーネントキャリアの受信信号強度は著しく変化し得る。これは、準最適な受信処理（suboptimal receive processing）を、および、ワーストケースシナリオでは、無線リンク障害（radio link failure）を潜在的にもたらすことがある。したがって、本開示は、バンド内バンドキャリアアグリゲーションとの効率的で信頼できる通信（efficient and reliable communications with intra-band band carrier aggregation）を可能にするために使用され得る技法を提供する。
【００１８】
[0026]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定され得、サブキャリアの総数はシステム帯域幅に依存し得る。
【００１９】
[0027]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。ＵＥは、無線リンク監視（ＲＬＭ：radio link monitoring）中にＰＣＣ上で受信信号品質を監視し得る。ＵＥは、物理レイヤにおいて、ＰＣＣのための信号対干渉プラス雑音比（ＳＩＮＲ：signal to interference plus noise ratio）、および／または、たとえば、ＰＣＣ上での物理ダウンリンク制御チャネル（ＰＤＣＣＨ：Physical Downlink Control Channel）送信に関連するブロックエラーレート（ＢＬＥＲ：block error rate）などの、信号品質メトリックを推定し得る。所定のＳＩＮＲおよび／またはＢＬＥＲしきい値に基づいて、ＵＥは、サービングセルに関する同期していない（ＯＯＳ：out-of-sync）状態または同期している（ＩＳ：in-sync）状態を宣言し得る。ＯＯＳ状態が持続する場合、無線リンク障害が上位レイヤによって宣言され得る。したがって、バンド内キャリアアグリゲーションでは、ＳＣＣ信号品質が犠牲になる場合でも、バンド内キャリアアグリゲーションシナリオにおいてＰＣＣに適切な利得が適用されることを保証することが重要であり得る。
【００２０】
[0028]図２に、図１の基地局／ｅＮＢのうちの１つであり得る基地局／ｅＮＢ１１０および図１のＵＥのうちの１つであり得るＵＥ１２０の設計のブロック図を示す。基地局１１０は図１のマクロｅＮＢ１１０ｃであり得、ＵＥ１２０はＵＥ１２０ａであり得る。基地局１１０はアンテナ３３４ａ〜３３４ｔを備え得、ＵＥ１２０はアンテナ３５２ａ〜３５２ｒを備え得る。
【００２１】
[0029]基地局１１０において、送信プロセッサ３２０は、データソース３１２からデータを受信し、コントローラ／プロセッサ３４０から制御情報を受信し得る。制御情報は様々な制御チャネルのためのものであり得る。データは様々なデータチャネルのためのものであり得る。ＴＸプロセッサ３２０は、キャリアアグリゲーションのための複数のコンポーネントキャリアのためのデータを処理し得る。ＴＸプロセッサ３２０は、データと制御情報とを処理（たとえば、符号化およびシンボルマッピング）して、それぞれデータシンボルと制御シンボルとを取得し得る。ＴＸプロセッサ３２０はまた、たとえば、ＰＳＳ、ＳＳＳ、およびセル固有基準信号のための基準シンボルを生成し得る。
【００２２】
[0030]送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、（たとえば、ＯＦＤＭなどのために）それぞれの出力シンボルストリームを処理して、出力サンプルストリームを取得し得る。各バックエンドモジュール（ＢＥＭ）３９０ａ〜３９０ｔはさらに、出力サンプルストリームを処理（たとえば、アナログへの変換、増幅、フィルタ処理、およびアップコンバート）して、ダウンリンク信号を取得し得る。変調器３３２ａ〜３３２ｔからのダウンリンク信号は、それぞれアンテナ３３４ａ〜３３４ｔを介して送信され得る。
【００２３】
[0031]ＵＥ１２０において、アンテナ３５２ａ〜３５２ｒは、基地局１１０からダウンリンク信号を受信し得、受信信号をフロントエンドモジュール（ＦＥＭ）３９２ａ〜３９２ｒに与え得る。受信信号は複数のアグリゲートキャリアからの信号であり得る。各フロントエンドモジュール３９２は、それぞれの受信信号を調整（たとえば、フィルタ処理、増幅、ダウンコンバート、およびデジタル化）して、入力サンプルを取得し得る。各復調器（ＤＥＭＯＤ）３５４ａ〜３５４ｒはさらに、それぞれ、（たとえば、ＯＦＤＭなどのために）入力サンプルを処理して、受信シンボルを取得し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０のための復号されたデータをデータシンク３６０に与え、復号された制御情報をコントローラ／プロセッサ３８０に与え得る。
【００２４】
[0032]アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。プロセッサ３２０は、複数のアグリゲートキャリアのためのデータを処理し得る。プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、基地局１１０に送信され得る。基地局１１０において、ＵＥ１２０からのアップリンク信号は、アンテナ３３４によって受信され、バックエンドモジュール３９０と復調器３３２とによって処理され、可能な場合はＭＩＭＯ検出器３３６によって検出され、さらに受信プロセッサ３３８によって処理されて、ＵＥ１２０によって送られた復号されたデータと制御情報とが取得され得る。単一のアンテナは、図４Ａ〜図４Ｂに示されているように、デュプレクサを介してアップリンク信号とダウンリンク信号との間で共有され得る。プロセッサ３３８は、復号されたデータをデータシンク３３９に与え、復号された制御情報をコントローラ／プロセッサ３４０に与え得る。
【００２５】
[0033]コントローラ／プロセッサ３４０および３８０は、それぞれ基地局１１０およびＵＥ１２０における動作を指示し得る。基地局１１０におけるプロセッサ３４０および／または他のプロセッサおよびモジュールは、本明細書で説明する技法のための様々なプロセスを実行するか、またはその実行を指示し得る。ＵＥ１２０におけるプロセッサ３８０および／または他のプロセッサおよびモジュールはまた、機能ブロック、および／または本明細書で説明する技法のための他のプロセスを実行するか、またはその実行を指示し得る。メモリ３４２および３８２は、それぞれ基地局１１０およびＵＥ１２０のためのデータおよびプログラムコードを記憶し得る。スケジューラ３４４は、ダウンリンクおよび／またはアップリンク上でのデータ送信のためにＵＥをスケジューリングし得る。
【００２６】
[0034]一構成では、ワイヤレス通信のためのＵＥ１２０またはｅＮＢ１１０は、同じ無線周波数帯域中の少なくとも２つのコンポーネントキャリア（ＣＣ）のための受信信号電力を推定するための手段を含み得、ここで、少なくとも２つのＣＣは、キャリアアグリゲーションのために構成され得、１次コンポーネントキャリア（ＰＣＣ）と１つまたは複数の２次コンポーネントキャリア（ＳＣＣ）とを含み得る。たとえば、復調器３５４、ＭＩＭＯ検出器３５６、およびＲＸプロセッサ３５８は、ＲＳＲＰ（基準信号受信電力）、ＲＳＳＩ（受信信号強度インジケータ）、ＲＳＲＱ（基準信号受信品質）、あるいは受信信号電力、または代替的に、品質の他の測定値または推定値、を判断するために協働し得る。
【００２７】
[0035]概して、受信信号のＣＣのうちの１つまたは複数のものの品質の指示を推定および／または測定するための手段が与えられ得る。そのような手段は、アナログ方法および／またはデジタル方法を使用して実装され得、たとえば、ＣＣを分離するように構成された１つまたは複数のフィルタバンク（アナログまたはデジタルまたは組合せ）と、対応する信号品質を測定およびまたは推定するための対応するアナログ手段および／またはデジタル手段とを伴い得る。たとえば、信号レベル、信号強度、信号電力、エラーレートなどが、測定または推定によって判断され得、ＣＣの品質の指示として使用され得る。アナログ手段は、たとえば、乗算器（multipliers）、２乗器（squarers）、積分器（integraters）などを含み得、デジタル手段は、たとえば、デジタル乗算器、２乗器、積分器／加算（summations）などを含み得る。デジタル手段は、代替または追加として、ＣＣ品質の指示を与えるための動作の全部または一部を実行するように（たとえば、メモリ構成要素に記憶されたソフトウェア命令を使用して）プログラムされた処理デバイスを含み得る。さらに、推定および／または測定するための手段の全部または一部分は、たとえば、多重化すること、プロセッサにおける並列スレッドを使用することなどによって、複数のＣＣの間で共有され得る。
【００２８】
[0036]図２に戻ると、受信チェーンの全部または一部分を共有するために、ＵＥ１２０および／またはｅＮＢ１１０は少なくとも２つのＣＣのための共通利得を使用し得る。一例では、コントローラ／プロセッサ３８０または共通利得要素は受信チェーンの要素に結合され得る。受信ＣＣ品質の指示に基づいて、コントローラ／プロセッサ３８０または利得要素は、受信信号中のＣＣに適用されるべき共通利得を判断し得る。
【００２９】
[0037]別の例では、共通利得制御要素は、他の受信チェーン要素をもつフロントエンドモジュール３９２の一部として含まれ得る。受信信号電力に基づいて、フロントエンドモジュール３９２は、（たとえば、フロントエンドモジュール３９２内の利得制御要素を介して）この場合も受信ＣＣ品質の指示に基づいて、バンド内ＣＣのための共通利得を判断し得る。
【００３０】
[0038]本開示の様々な態様によれば、受信ＣＣ品質の指示は２つの方法で判断（すなわち、測定および／または推定）され得る。第１の例によれば、ＰＣＣの品質の指示は、第１の品質指示として、単独で判断され得、第２の品質指示は１つまたは複数のＳＣＣに基づき得る。第２の例では、第１の品質指示は、ＰＣＣと、ＳＣＣのうちの１つまたは複数とに基づき得、第２の品質指示は１つまたは複数のＳＣＣに基づき得る。説明のために、第１の品質指示を「１次推定値（primary estimate）」と呼び、第２の品質指示を「２次推定値（secondary estimate）」と呼ぶ。また、一例では、１次推定値は、ＰＣＣと少なくとも１つのＳＣＣとを含み得、１次推定値と２次推定値のいずれかまたは両方は測定値であり（に基づき）得ることに留意されたい。
【００３１】
[0039]本開示の一態様では、様々なＣＣを含む受信信号への適用のために共通利得が判断され得、ここで、共通利得は、１次推定値と２次推定値とに基づいて判断され得る。ＵＥ１２０またはｅＮＢ１１０は、調整された受信信号を取得するために共通利得を受信信号に適用するための手段を含み得る。たとえば、可変利得、低雑音増幅器は、利得制御要素に結合され、得られた共通利得をＣＣに適用するように構成され得る。
【００３２】
[0040]ＵＥ１２０またはｅＮＢ１１０は、調整された受信信号をワイヤレス通信の一部として処理するための手段をさらに含み得る。一態様では、上述の手段は、上述の手段によって具陳された機能を実行するように構成された、（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａであり得る。別の態様では、上述の手段は、上述の手段によって具陳された機能を実行するように構成されたモジュールまたは任意の装置であり得る。別の態様では、上述の手段の少なくとも一部分は、ＲＦチェーン５０８など、図５Ａ〜図５Ｂに示されているフロントエンドモジュール３９２Ａ、３９２Ａ’中にあり得る。
【００３３】
[0041]図３Ａ〜図３Ｃに、キャリアアグリゲーションのための連続キャリアおよび不連続キャリアを有するバンド内構成およびバンド間構成を示す。バンド内ＣＡは、図３Ａおよび図３Ｂの例によって示されているように、複数の利用可能なコンポーネントキャリアが同じ無線周波数帯域に位置するときに生じる。図３Ｃにそれの例が示されているバンド間ＣＡは、複数の利用可能なコンポーネントキャリアが異なる無線周波数帯域に位置するときに生じる。
【００３４】
[0042]図３Ａは、バンド内連続ＣＡ４６０を示す。コンポーネントキャリア４０２ａ、４０４ａは、同じ帯域Ａの周波数帯域（バンド内）に位置し、互いに隣接する（連続ＣＡ）。コンポーネントキャリア４０２ａはＰＣＣであり得、コンポーネントキャリア４０４ａはＳＣＣであり得る。
【００３５】
[0043]図３Ｂは、バンド内不連続ＣＡ４７０を示す。コンポーネントキャリア４０２ｂ、４０４ｂは、同じ帯域Ａの周波数帯域（バンド内）に位置し、互いに隣接しない（不連続ＣＡ）。コンポーネントキャリア４０２ｂはＰＣＣであり得、コンポーネントキャリア４０４ｂはＳＣＣであり得る。
【００３６】
[0044]図３Ａのバンド内ＣＣと図３Ｂのバンド内ＣＣとが同じ周波数帯域を占有するので、ハードウェア複雑さを低減するために、アグリゲートＣＣ間で受信チェーンの一部が共有され得る。たとえば、ＣＣを処理するために、単一の広帯域対応フロントエンドモジュール（a single wideband-capable front end module）が使用され得る。たとえば、１つまたは複数のＲＦ受信ユニットが利用され得るか、または利得要素などの受信ユニットの一部が共有され得る。マルチパス効果、ドップラーシフト、および他の現象により、共通利得を判断するためのより高性能のアルゴリズムを必要とするアグリゲートＣＣの間で受信電力が変化し得る。たとえば、バンド内ＰＣＣ４０２ａ信号およびＳＣＣ４０４ａ信号は、共通利得が適用される同じ受信チェーンを介して受信され得る。ＰＣＣ４０２ａは、ＰＣＣ４０２ａの信号品質に有利である共通利得を判断するためのアルゴリズムを用いて、ＲＬＦを回避するための有利な処理のために選択され得る。
【００３７】
[0045]完全性のために、ならびに図３Ａおよび図３Ｂとは対照的に、図３Ｃは、バンド間不連続ＣＡ４８０の一例を示す。コンポーネントキャリア４０２ｃ、４０４ｃは、異なる帯域（バンド間）、周波数帯域Ｂおよび周波数帯域Ａに位置し、互いに隣接しない（不連続ＣＡ）。コンポーネントキャリア４０２ｃはＰＣＣであり得、コンポーネントキャリア４０４ｃはＳＣＣであり得る。さらに、ＬＴＥ無線リソース制御（ＲＲＣ：radio resource control）プロトコルの３ＧＰＰ技術仕様３６．３３１におけるものなど、レイヤ２プロシージャである物理チャネル確立およびＲＬＦプロシージャを含む、ＵＥの基本動作に影響を及ぼすことなしに、ＳＣＣが追加または削除され得る。
【００３８】
[0046]ＬＴＥアドバンストＵＥにおけるバンド間ＣＡでは、一般に、周波数帯域に沿って遠くにキャリアが分離されるので、複数のＲＦ受信ユニットと複数の高速フーリエ変換（ＦＦＴ：Fast Fourier Transform）ユニットとが配備され得る。不連続ＣＡは、広い周波数範囲にわたる複数の分離されたキャリア上でのデータ送信をサポートするので、周波数帯域が異なると、伝搬経路損失、ドップラーシフトおよび他の無線チャネル特性が著しく変わり得る。
【００３９】
[0047]したがって、不連続ＣＡ手法の下でブロードバンドデータ送信をサポートするために、異なるコンポーネントキャリアのためのコーディング、変調および送信電力を適応的に調整するための方法が使用され得る。たとえば、拡張ノードＢ（ｅＮＢ）が各コンポーネントキャリア上の送信電力を固定しているＬＴＥアドバンストシステムでは、各コンポーネントキャリアの有効カバレージまたはサポート可能な変調およびコーディングが異なり得る。
【００４０】
[0048]本開示の態様によれば、バンド内ＣＣのために使用され得る共通利得制御に対処するための技法が提示される。しかしながら、これらの技法はまた、共通の帯域中でアグリゲートＣＣのグループが与えられ、異なる帯域中で１つまたは複数の他のＣＣが与えられる、「ハイブリッド」シナリオにおいて適用され得る。そのような場合、本明細書で説明するバンド内技法は、バンド間技法の使用と組み合わせられ得、ここで、バンド内技法は、共通の帯域中にあるアグリゲートＣＣのために使用され得る。すなわち、事実上、バンド内利得制御技法は、バンド間技法のサブセット／サブケースとして使用され得る。
【００４１】
[0049]本開示の態様はまた、受信チェーンの一部または全部を共有しながらＣＣが処理され得るように、ＣＣ間の周波数分離がバンド内ＣＡの周波数分離と同様である場合、異なるＲＦ帯域中にあるＣＣに適用され得る。
【００４２】
[0050]次にバンド内ＣＣアグリゲーションの場合に目を向けると、ＵＥまたはｅＮＢなどのデバイス中の、バンド内ＣＣを搬送する受信信号に適用されるべき利得のための共通利得制御のための技法が提供され得る。本開示の様々な態様によれば、アグリゲートキャリア間でフロントエンドモジュール中の受信チェーンの全部または一部を共有することにより、ハードウェア複雑さが低減し得る。たとえば、共通利得制御をもつ共通利得要素を介してＣＡ信号を処理することが、電力消費の低減のために有利に実施され得る。ＵＥのユーザは、より長いバッテリー寿命と、バッテリー再充電間のより長い間隔とから恩恵を受け得る。デバイス（たとえば、ＵＥまたはｅＮＢ）が、低減された数の論理デバイスを使用して、より小さい論理回路フットプリント（a smaller logic circuit footprint）を実現し得るので、共通利得制御をもつ共通利得要素は部品表（bill of material）を削減し（lower）得る。より簡単な設計を通してコスト削減が達成され得る。
【００４３】
[0051]しかしながら、キャリアアグリゲーションにおける受信チェーンの全部または一部の賢明でない共有は、ＰＣＣの受信に影響を及ぼし得、サービス中断をもたらし得る。たとえば、ＰＣＣがコンポーネントキャリアのより弱い信号であるとき、ＰＣＣ信号は、バンド内ＣＣ間の信号品質の潜在的な差を考慮に入れない共通利得の適用によってＲＬＦをもたらす量子化雑音フロア（quantization noise floor）に押し込まれ得る。以下の共通利得制御方法は、有利な処理のためにＰＣＣを選択することによって、そのような望ましくない影響を緩和するように構成され得る。共通利得制御方法はまた、望ましくない無線チャネル特性の影響を低減するように構成され得る。
【００４４】
[0052]図４Ａ〜図４Ｂに、バンド内キャリアアグリゲーションの場合における共通利得制御のための実施形態の例を示す。図４Ａは、複数のＲＦチェーン５０８ａ〜ｂの場合の一例を示す。フロントエンドモジュール３９２Ａは、ＵＥ１２０またはｅＮＢ１１０において使用するように構成され得る。ＵＥ１２０またはｅＮＢ１１０において使用するように構成されたとき、フロントエンドモジュール３９２Ａは、アンテナ（ｅＮＢ１１０中の３５２ａ〜ｔまたはＵＥ１２０中の３５２ａ〜ｒ）とＤＥＭＯＤ（ｅＮＢ１１０中の３５４ａ〜ｔまたはＵＥ１２０中の３５４ａ〜ｒ）との間に位置し得る。フロントエンドモジュール３９２Ａは、ＵＥ１２０またはｅＮＢ１１０のアンテナに位置し得る。フロントエンドモジュール３９２Ａは、可変利得要素５０６を制御するための、可変利得要素５０６に結合された利得制御モジュール５０２を含み得る。可変利得要素５０６は、たとえば、低雑音増幅器であり得る。フロントエンドモジュール３９２Ａは、入来信号を中間周波数（ＩＦ：intermediate frequency）に変換するために使用され得るミキサを含み得る。フロントエンドモジュール３９２Ａは、同じアンテナに出入りする受信信号と送信信号の両方をルーティングするために使用され得るデュプレクサを含み得る。
【００４５】
[0053]利得制御モジュール５０２は、１次推定値と２次推定値とを取得するための上記で説明した手段を含み得るか、またはそれは他の構成要素から１次推定値と２次推定値とを受信し得る。１次推定値と２次推定値とに基づいて、利得制御モジュール５０２は、可変利得要素５０６に適用されるべき、複数のコンポーネントキャリアのための共通利得を判断し得る。代替的に、利得制御モジュール５０２は、少なくとも部分的に、コントローラ／プロセッサ３４０、３８０において実装され得る。
【００４６】
[0054]無線リンク監視がＰＣＣに基づいており、およびＰＣＣはコンポーネントキャリアのグループのための制御シグナリングを搬送し得るので、別の態様は、ＲＬＦを回避するための有利な処理のためにＰＣＣを選択することを含み得る。たとえば、コンポーネントキャリア電力不均衡（component carrier power imbalance）に応じて、コンポーネントキャリア信号電力の最大値に基づく共通利得を使用することにより、より弱いキャリアを量子化雑音フロアに押し込む（push）か、またはより弱いキャリアを非線形スケーリングにかけ（subject）得る。ＰＣＣがより弱いキャリアである場合、最大値に基づく共通利得を使用することにより、ＲＬＦが生じ得る。したがって、本開示の一態様は、ＰＣＣのほうを優先して共通利得を判断する際に使用されるべき技法をバイアスすることを伴い得る。
【００４７】
[0055]図５に、共通利得がどのように判断され、適用され得るかについての例６００を示す。この例は、６０２において、上記で説明したように、周波数帯域中の複数のＣＣのための受信信号品質の指示を推定および／または測定することにより、１次推定値と２次推定値とを取得することによって開始する。次いで、６０４において、１次推定値と２次推定値とを比較し、その比較に基づいて共通利得を判断し得る。次いで、６０６において、調整された受信信号を取得するために共通利得を受信信号に適用する。最後に、６０８において、このプロセスを行うデバイスは、調整された受信信号をワイヤレス通信の一部として処理する。
【００４８】
[0056]図６に、６０４において共通利得がどのように判断され得るかを実証するためのさらなる詳細を示す、さらなる例７００を示す。図５の場合のように、６０２において、１次推定値と２次推定値とを取得する。次いで、７０４において、結果を比較する。特に、７０４において、１次推定値が、２次推定値よりも大きいか、またはそれにほぼ等しいかに関する判断を行う。この比較の「にほぼ等しい」という部分は、しきい値Ｔの使用によって実現され得る。
【００４９】
[0057]さらに説明すると、上記のように、ワイヤレス通信は、概して、ＳＣＣが受信される忠実度よりもＰＣＣが受信される忠実度（fidelity）に敏感であり得る。したがって、いくつかの状況では、ＰＣＣのほうを優先して共通利得の判断をバイアスすることが適切であり得る。たとえば、１次推定値が２次推定値よりも大きいかまたはそれに等しい場合、７０５において、ＰＣＣに基づいて共通利得を判断し得る。しかしながら、１次推定値が２次推定値よりも小さい場合でも、ＣＣがせいぜいあるしきい値量Ｔだけ異なるとき、７０５においてＰＣＣに基づいて共通利得を判断することは有利であり得る。Ｔは、たとえば、（たとえば、ＢＬＥＲを最小限に抑えるためのまたは最大許容ＢＬＥＲを与えるための）ブロックエラーレート（ＢＬＥＲ）基準など、エラーレート基準に基づく所定のしきい値であり得るが、必ずしもそれに限定されるとは限らない。したがって、本開示の一態様によれば、１次推定値と２次推定値との比較は、７０４における、１次推定値が２次推定値−Ｔよりも大きいかまたはそれに等しいかの判断として表され得る。本開示が限定されない特定のサブ例では、Ｔは０に等しくなり得る（それにより、しきい値ベースの調整なしの直接比較が生じる）ことを理解されたい。
【００５０】
[0058]補足説明として、完全性のために、１次推定値および２次推定値が、たとえば、エラーレート推定値に対応する場合、より良い信号がより低い推定値を生じるべきである。したがって、そのような場合、図６には示されていないが、比較基準７０４は、１次推定値が２次推定値＋Ｔよりも小さいかまたはそれに等しいかということと言い換えられ得、この場合も、Ｔは、（たとえば、対応するＲＦ特性に従って）使用されている１次推定値のタイプおよび２次推定値のタイプのために適切に選択される。
【００５１】
[0059]図６に戻ると、７０４において比較基準が満たされない場合、７０６において、１次推定値と２次推定値との線形結合（a linear combination）、またはＰＣＣの特性と１つまたは複数のＳＣＣの特性との線形結合として共通利得を選択し得る。たとえば、ＰＣＣ信号がより低品質の信号であるとき、比較７０４に基づいて、共通利得は、ＰＣＣ受信信号電力とＳＣＣ受信信号電力との線形結合（すなわち、ｆ（ｘ，ｙ）＝α＊ｘ＋β＊ｙ）に基づいて計算され得る（上式で、ｘはＰＣＣ受信信号電力を表し、ｙはＳＣＣ受信信号電力を表す）。線形結合の係数値（たとえば、ＰＣＣ信号のためのαおよびＳＣＣ信号のためのβ）は、ＰＣＣ信号のほうを優先して利得制御をバイアスするように調整され得る。たとえば、ＰＣＣ信号のためのα係数は、ＳＣＣ信号のためのβ係数よりも大きい値になるように選択され得る。これは、「関連する特性（associated property）」として信号電力の例を使用するが、「関連する特性」は、同様に、信号レベル、または信号品質を反映する何らかの他の特性であり得、αおよびβはそれに応じて選択され得ることに留意されたい。
【００５２】
[0060]本開示のさらなる態様では、係数値および／またはしきい値はサブフレームごとに判断され得る。
【００５３】
[0061]たとえば、ＰＣＣがＳＣＣのうちの２つ以上とは異なる帯域中にあるバンド間キャリアアグリゲーションの場合に生じ得る、図面に具体的に示されていない、変形形態では、共通利得要素が２つ以上のＳＣＣ間で共有される場合、共通利得は、共通利得要素を共有するＳＣＣの最大信号電力（または信号品質の最良推定指示）に基づき得る。ＲＬＦはＳＣＣに関係しないので、利得要素は、最も強いＳＣＣを選好するように、および、飽和を回避することによって最も強いＳＣＣの信号対雑音劣化（signal to noise degradation）を回避するように選択され得る。
【００５４】
[0062]次に図４Ａおよび図４Ｂに戻ると、共通利得が判断されると、共通利得は、利得制御モジュール５０２によって可変利得要素５０６に通信され得、可変利得要素５０６は、共通利得を複数のコンポーネントキャリアからの入来信号に適用し得る。共通利得が可変利得要素５０６によって適用された後、複数のコンポーネントキャリアの出力信号は、図４Ａに示されているように、複数のＲＦチェーン５０８ａ、５０８ｂに分離され、アナログデジタル変換器（ＡＤＣ）５１０ａ、５１０ｂに渡され得る。ＲＦチェーン５０８ａは、フィルタ、デュプレクサ、ベースバンドプロセッサなど、他の回路要素を含み得る。ＡＤＣ５１０ａ、５１０ｂの出力は、さらなる処理のためにＭＯＤ／ＤＥＭＯＤ３５４ａ、３５４ｂに渡され得る。
【００５５】
[0063]一例では、ＵＥ１２０の構成要素として構成されたフロントエンドモジュール３９２Ａの場合、ＰＣＣための信号およびＳＣＣのための信号は、アンテナ３５２ａにおいてｅＮＢ１１０によって送信され、ＵＥ１２０によって受信され得る。デュプレクサ５０４は、可変利得要素５０６による処理のためにＰＣＣ信号およびＳＣＣ信号をＩＦ信号に変換し得る。利得制御モジュール５０２は、上記で説明したように、可変利得要素５０６のための利得の値を設定し得る。
【００５６】
[0064]図４Ｂは、共有ＲＦチェーン５０８ｃおよびＡＤＣ５１０ｃとともにフロントエンドモジュール３９２Ａ’の例示的な実施形態を示す。図４Ａのハードウェア複雑さは、ＲＦチェーン５０８ｃおよびＡＤＣ５１０ｃ中の共有構成要素とともに図４Ｂにおいてさらに簡略化される。フロントエンドモジュール３９２Ａ’は、可変利得要素５０６を制御するための、可変利得要素５０６に結合された利得制御モジュール５０２を含み得る。可変利得要素５０６は、たとえば、低雑音増幅器であり得る。フロントエンドモジュール３９２Ａ’は、入来信号を中間周波数（ＩＦ）に変換するために使用され得るデュプレクサを含み得る。共通利得が可変利得要素５０６によって適用された後、複数のコンポーネントキャリアの出力信号は、ＲＦチェーン５０８ｃに渡され、そしてＡＤＣ５１０ｃに渡される。ＲＦチェーン５０８ｃは、フィルタ、デュプレクサ、ベースバンドプロセッサなど、他の回路要素を含み得る。ＡＤＣ５１０ｃの後に、信号は、上記で説明したように、さらなる処理のためにＭＯＤ／ＤＥＭＯＤ３５４ａに渡る。
【００５７】
[0065]再び図５〜図６を参照すると、バンド内アグリゲートキャリアのための利得制御に関係する例示的な方法が示されている。説明を簡単にするために、方法を一連の行為として図示および説明するが、いくつかの行為は、１つまたは複数の実施形態によれば、異なる順序でおよび／または他の行為と同時に行われ得るので、方法は行為の順序によって限定されないことを理解し、諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００５８】
[0066]図７に、本開示の方法による、バンド内キャリアアグリゲーション構成における利得を制御するための装置の実施形態を示す。図７を参照すると、ワイヤレスネットワーク中のワイヤレスエンティティ（たとえば、ＵＥ１２０またはｅＮＢ１１０）として、あるいはワイヤレスエンティティ内で使用するためのフロントエンドモジュールまたは同様のデバイス／構成要素として、構成され得る例示的な装置８００が与えられている。装置８００は、プロセッサ、ソフトウェア、またはそれらの組合せ（たとえば、ファームウェア）によって実装される機能を表すことができる機能ブロックを含み得る。たとえば、装置８００は利得制御モジュール８０２を含み得る。利得制御モジュール８０２は、１次推定値と２次推定値とを受信または判断するように構成され得、１次推定値と２次推定値との比較に基づいて共通利得を判断するように構成され得る。利得制御モジュール８０２は、プロセッサを含み得るか、またはこれらの機能を実行する際にプロセッサ８１０を利用し得る。装置８００は、調整された受信信号を取得するために共通利得を受信信号に適用するように構成され得る可変利得モジュール８０４を含み得る。１つまたは複数のプロセッサ８１０は、メモリ８１６に結合され得、調整された受信信号をワイヤレス通信の一部として処理するように構成され得る。プロセッサ８１０は、ＲＦチェーン５０８、ＭＯＤ／ＤＥＭＯＤ３５４の構成要素、あるいは、調整された受信信号を処理し、および／または他の機能を実行するように構成され得るＵＥ１２０またはｅＮＢ１１０の他のモジュールまたは構成要素、であり得る。
【００５９】
[0067]装置８００が、フロントエンドモジュールではなく、ワイヤレスエンティティに対応する場合、プロセッサ構成要素８１０は、バス８１２または同様の通信結合を介して構成要素８０２〜８０４と動作可能に通信していることがあり、構成要素８０２〜８０４によって実行されるプロセスまたは機能の開始およびスケジューリングを実施し得る。
【００６０】
[0068]さらなる関係する態様では、装置８００は、無線トランシーバ構成要素であり得る、ネットワークインターフェース構成要素８１４を含み得る。トランシーバ構成要素の代わりにまたはトランシーバ構成要素とともに、スタンドアロン受信機および／またはスタンドアロン送信機が使用され得る。装置８００がネットワークエンティティである場合、ネットワークインターフェース８１４は、１つまたは複数のコアネットワークエンティティに接続するように構成され得る。装置８００は、メモリデバイス／構成要素８１６であり得る、たとえば、コンピュータ可読媒体など、情報を記憶するための構成要素を随意に含み得る。メモリ構成要素８１６は、構成要素８０２〜８０４、およびそれらの副構成要素、またはプロセッサ８１０、または本明細書で開示する方法の処理と挙動とを実施するための、コンピュータ可読命令および／またデータを記憶するように適応され得る。
【００６１】
[0069]図８の構成要素は、プロセッサ、電子デバイス、ハードウェアデバイス、電子的副構成要素、論理回路、メモリ、ソフトウェアコード、ファームウェアコードなど、またはそれらの任意の組合せを備え得ることにさらに留意されたい。
【００６２】
[0070]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６３】
[0071]さらに、本明細書の開示に関して説明した様々な例示的な論理ブロック、モジュール、回路、およびアルゴリズムステップは、電子ハードウェア、またはハードウェアとソフトウェアの両方の組合せとして実装され得ることを、当業者は諒解されよう。当業者は、説明した機能を特定の適用例ごとに様々な方法で実装し得るが、そのような実装の決定は、本開示の範囲からの逸脱を生じるものと解釈すべきではない。
【００６４】
[0072]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６５】
[0073]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００６６】
[0074]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む通信媒体、および／またはコンピュータ記憶媒体を含み得る。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得て、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、通常、データを、たとえば、レーザーで光学的に再生する。上記の組合せもコンピュータ可読媒体の範囲内に含まれるべきである。
【００６７】
[0075]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2015537463.tif 000003
【図２】
2015537463.tif 000004
【図３Ａ】
2015537463.tif 000005
【図３Ｂ】
2015537463.tif 000006
【図３Ｃ】
2015537463.tif 000007
【図４Ａ】
2015537463.tif 000008
【図４Ｂ】
2015537463.tif 000009
【図５】
2015537463.tif 000010
【図６】
2015537463.tif 000011
【図７】
2015537463.tif 000012
【国際調査報告】
2015537463.tif 000013
2015537463.tif 000014
2015537463.tif 000015